(57)【要約】【課題】  ねじ対偶を利用した消ゴム等の繰出装置において、外筒の内面に形成する雌ねじをモータードライブ金型を使用せずに簡単に、かつ経済的に形成できるようにする。【解決手段】  外筒(16)の内周面に平面部(26)を設け、この平面部に雌ねじのねじ溝の一部に相当する窓部(27)を軸方向に所定のピッチで開口したラック窓部(28)を形成する。上記外筒(16)内には、内筒(24)により回転される受台(25)がある。受台(25)には、上記ラック窓部(28)にねじ係合する雄ねじ(44)が設けられている。上記内筒(24)を回転すると、上記受台(25)はラック窓部により軸方向に移動し、消ゴムを出没させることができる。【選択図】    図２０
2005028800.tif 000002
【特許請求の範囲】
【請求項１】
外筒と内筒を回転可能に嵌挿し、該内筒に軸方向に移動可能に受台を設け、該受台の外周を上記外筒に設けた雌ねじに係合し、上記内筒若しくは外筒を回転した際上記受台が軸方向に移動して該受台に設けた消ゴム等の棒状物を繰り出すようにした消ゴム等の繰出装置において、上記外筒の内面に軸方向に延びる平面部を形成し、雌ねじのねじ溝の一部に相当する窓部を軸方向に所定のピッチで開口したラック窓部を上記外筒の平面部に設け、上記受台の筒状部に雄ねじを形成し、該雄ねじを上記ラック窓部にねじ係合して上記受台を軸方向に移動させることを特徴とする消ゴム等の繰出装置。
【請求項２】
上記ラック窓部は対向状態に設けられている請求項１に記載の消ゴム等の繰出装置。
【請求項３】
上記内筒に形成した側枠片は、上記受台の底部を貫通して軸方向に延び、該側枠片の内方端は上記外筒内に形成した案内筒の外周に回動可能に支持されている請求項１または２に記載の消ゴム等の繰出装置。
【請求項４】
上記外筒は作動カムを有し、複数のリフィールの後端に設けたスライドコマを該作動カムで軸方向に移動させることにより筆記具本体の先端から筆記先端を出没させるようにした請求項１ないし３のいずれかに記載の消ゴム等の繰出装置。
【発明の詳細な説明】
【技術分野】
【０００１】
本発明は、シャープペンシルや複合筆記具等の筆記具その他の物品に設けられ、消しゴム等の棒状物を繰り出しできるようにした消ゴム等の繰出装置に関する。
【背景技術】
【０００２】
シャープペンシルや複合筆記具では、軸筒の後端から消ゴムや他の筆記具等の棒状物を繰り出しできるようにした消ゴム等の繰出装置が種々用いられている。ねじ対偶を利用した繰出装置として、筒状体の後部内周に螺旋溝が形成されたカム本体と、このカム本体と回転自在に嵌合されかつ軸方向にガイド溝が形成された案内筒と、この案内筒内に設けられて上記カム本体の螺旋溝と係合する係合突起を備えかつ棒状物を保持して案内筒のガイド溝に沿って軸方向に摺動可能なスライダを有し、上記案内筒を回転して消ゴム等の棒状物を出没できるようにした筆記具が知られている（例えば特許文献１参照）。
【０００３】
上記カム本体の螺旋溝は、筒状体の内周に形成されているが、そのような螺旋溝を有する筒状体をプラスチック材料で成形するには、成形時に雄ねじ状のねじ部を有するコアピンを使用し、成形後に該コアピンを回転させながら抜き取る形式のモータードライブ金型を使用しなければならず、金型コスト、部品コストがかかり、成形も面倒であり、経済的に得られなかった。
【特許文献１】特開平８−３４１９６号公報
【発明の開示】
【発明が解決しようとする課題】
【０００４】
本発明の解決課題は、上記のようにねじ対偶を利用した消ゴム等の繰出装置において、モータードライブ金型を使用せずに雌ねじに相当する部材を形成でき、経済的に得られるようにした消ゴム等の繰出装置を提供することである。
【課題を解決するための手段】
【０００５】
本発明によれば、外筒と内筒を回転可能に嵌挿し、該内筒に軸方向に移動可能に受台を設け、該受台の外周を上記外筒に設けた雌ねじに係合し、上記内筒若しくは外筒を回転した際上記受台が軸方向に移動して該受台に設けた消ゴム等の棒状物を繰り出すようにした消ゴム等の繰出装置において、上記外筒の内面に軸方向に延びる平面部を形成し、雌ねじのねじ溝の一部に相当する窓部を軸方向に所定のピッチで開口したラック窓部を上記外筒の平面部に設け、上記受台の筒状部に雄ねじを形成し、該雄ねじを上記ラック窓部にねじ係合して上記受台を軸方向に移動させるようにしたことを特徴とする消ゴム等の繰出装置が提供され、上記課題が解決される。
【発明の効果】
【０００６】
本発明の消ゴム等の繰出装置は、従来のように外筒の内面に雌ねじを形成しないので、成形が容易であり、モータードライブ金型を用いずに通常の金型とコアピンで製造することができるから、金型コスト、部品コストを下げることが可能であり、経済的に得ることができる。
【発明を実施するための最良の形態】
【０００７】
図面には、本発明による消ゴムの繰出装置を備えた複数のリフィールを有する複合筆記具が示されているが、本発明はシャープペンシル等１本のリフィールを有する筆記具や消ゴム以外の筆記具その他の適宜の棒状物を繰り出すようにした物品にも適用することもできる。
【０００８】
図１、図２を参照し、筆記具本体（１）は、リフィール（２）の筆記先端を突出させる孔（３）を先端に有するグリップ部（４）と、該グリップ部（４）の後端にねじ着等により連結される中本体（５）と、該中本体（５）の後方に連結される上本体（６）を具備し、該上本体（６）内に消ゴムユニット（７）が設けられている。
【０００９】
上記中本体（５）内には、隔壁（８）に設けた案内溝（９）を通してボールペンリフィール，シャープペンシルリフィール，リフィール型スタイラス（入力ペン）等のリフィール（２）が挿入され、各リフィールの後端にはそれぞれスライドコマ(10)が接続され、各スライドコマ(10)は隣接するスライドコマ間に嵌入するよう中本体の内面に形成された仕切りリブ(11)により周方向の位置が固定されている（図３、図４参照）。また、上記隔壁（８）とスライドコマ(10)間には、該スライドコマ(10)を後方に付勢するスプリング(12)を設けてあり、公知のように上記スライドコマ(10)のカム（図示略）に接する作動カム(13)のカム部(14)により選択的に上記スライドコマ(10)を前進させて所望のリフィールの筆記先端を上記グリップ部（４）の孔（３）から出没させることができる。なお、該中本体（５）の前部には、上記グリップ部（４）を連結するためのねじ(15)が形成され、後部には後記する外筒(16)の前方筒状部(17)を連結するための係止部(18)が周方向に形成されている。中間段部(19)の一部には軸方向に延びるノック作動リブ(20)が形成されておりており、作動カムによりシャープペンシルリフィールが突出されているときにノック操作により芯を送り出すことができるように構成されている。
【００１０】
上記上本体（６）は、図６に示すように内面の軸方向に回り止め用リブ(21)を有し、かつ後部には周方向に固定用リブ(22)を形成し、外面にはクリップ(23)が設けられている。該上本体（６）内に設けられる消ゴムユニット（７）は、外筒(16)と、該外筒(16)内に回転可能に挿入された内筒(24)と、該内筒(24)に軸方向に移動可能に組み込まれた受台(25)を含んでいる。
【００１１】
上記外筒(16)は、図７〜図１０に示すように、円形の内周面の一部に軸方向に延びる平面部(26),(26)を対向状態に設けてあり、雌ねじのねじ溝の一部に相当する窓部(27)…を軸方向に所定のピッチで開口したラック窓部(28)が該平面部(26)に形成されている。そのような窓部(27)…は、プラスチック成形時に金型の内面に該窓部に相当する突起を形成し、該突起の先端を外筒の内周面を形成するコアピンの外面に当接させて外筒を成形すれば、通常の金型で容易に成形することができる（図示略）。なお、上記平面部を３ヶ所以上設け、ラック窓部を３ヶ所以上に形成してもよい。
【００１２】
上記外筒(16)の内面後方には、上記内筒(24)を抜け止めするための抜け止めリブ(29)を設けてあり、前方の内面に形成した内壁(30)には上記内筒(24)の回転を案内するための案内筒(31)及び環状溝(32)が設けられ、外面には上記上本体（６）の固定用リブ(22)に係合する突起(33)及び上記回り止め用リブ(21)に嵌合する長溝(34)が設けられている。
【００１３】
上記外筒(16)の内壁(30)の前方には、作動カム(13)を形成してあり、該作動カム(13)を囲むように上記上本体（６）にほぼ内接する外径を有する前方筒状部(17)が設けられているが、複合筆記具ではない通常のシャープペンシル等の場合には、作動カムを設ける必要はない。上記前方筒状部(17)には、上記中本体（５）に設けた係止部(18)に係合する係止爪(35)が設けられている。該係止爪(35)は、上記前方筒状部(17)の内周面の一部に平面部を形成し、該平面部に窓孔(36)を開口させてかかりしろを設けることにより形成されている。また、上記作動カム(13)のカム部(14)がシャープペンシルリフィールを前進させているとき、上記中本体（５）のノック作動リブ(20)に対向するよう前方に開口するノック作動溝(37)が形成されており、その状態で作動カムのノック操作が許容され芯を送り出すことができる。
【００１４】
上記内筒(24)は、図１１〜図１３に示すように、後部につまみ部(38)を有し、間隙(39)をあけて対向する断面半円弧状の側枠片(40),(40)が軸方向に延びている。上記つまみ部(38)と側枠片(40)の間には、上記外筒(16)の抜け止めリブ(29)に回転可能に係合する環状溝(41)が設けられており、該内筒(24)を外筒(16)に連結したとき、上記側枠片(40),(40)の先端は外筒(16)の環状溝(32)に挿入され、かつ案内筒(31)の外周に回動自在に摺接する。なお、上記つまみ部(38)には、上記間隙(39)に連通する側方溝(42)が形成されている。
【００１５】
上記受台(25)は、図１４〜図１６に示すように、上記外筒(16)にほぼ内接する外径の筒状部(43)を有し、該筒状部(43)には上記ラック窓部(28)にねじ係合する雄ねじ(44)が形成されている。該雄ねじ(44)は、上記ラック窓部により形成された雌ねじに相当するねじ溝に組み合わされるよう適宜形状のねじ山、ピッチ等を有し、常に雄ねじとラック窓部が係合するよう１条ねじの場合は少くとも１ピッチ以上の長さで、若しくは多条ねじで全周に設けられている。
【００１６】
上記受台(25)の筒状部(43)の一側には、消ゴム(45)等の棒状物を支持する押え片(46)が対向状態に形成され、該押え片(46)は上記内筒(24)の側枠片(40),(40)間の間隙(39)に挿入可能な幅を有している。また、該筒状部(43)の底部(47)には、上記側枠片(40)を貫通させるための挿通孔(48),(48)が形成されている。
【００１７】
図１７を参照し、消ゴムユニット部を組み立てるには、上記上本体（６）の前方から外筒(16)を挿入し、該外筒を回り止め状態で上本体（６）内に組み込む。次に、後方から受台(25)を回転させながら外筒内に挿入した後、上記内筒(24)の側枠片(40),(40)を挿通孔(48)に差し込みながら押し込み、該内筒(24)を外筒(16)に回転可能に連結する。そして、消ゴム(45)その他適宜の棒状物を上記内筒(24)に挿入して上記受台(25)の押え片(46),(46)で挟着させればよい。
【００１８】
上記のように組み立てた消ゴムユニットは、複合筆記具の場合は図１８に示すように構成され、シャープペンシル等の筆記具の場合は図１９に示すように構成される。なお、図１８、図１９において、外筒(16)と内筒(24)は、内筒(24)の側枠片(40)の先端に係止爪(49)を設け、該係止爪(49)を内壁(30)に係合させることにより抜け止めされており、それにより上記抜け止めリブ(29)及び環状溝(41)を省略している。
【００１９】
上記のように受台(25)を外筒(16)内に組み込むと、図２０に示すように上記受台(25)に設けた雄ねじ(44)はラック窓部(28)の内方開口縁(50)をかかりしろとしてこれにねじ係合するから、上記内筒(24)を回転することにより受台(25)は軸方向に移動し、消ゴム(45)は筆記具本体の後端から出没する。
【図面の簡単な説明】
【００２０】
【図１】本発明の一実施例を示す断面図。
【図２】図１ＡのＢ−Ｂ線断面図。
【図３】中本体の断面図。
【図４】中本体の平面図。
【図５】中本体の側面図。
【図６】上本体の断面図。
【図７】外筒の断面図。
【図８】外筒の正面図。
【図９】外筒の右側面図。
【図１０】外筒の左側面図。
【図１１】内筒の平面図。
【図１２】内筒の半断面図。
【図１３】内筒の右側面図。
【図１４】受台の平面図。
【図１５】受台の正面図。
【図１６】受台の右側面図。
【図１７】組み立て状態を示す説明図。
【図１８】消ゴムユニットの一部切欠斜視図。
【図１９】消ゴムユニットの他の実施例の一部切欠斜視図。
【図２０】ラック窓部部分の拡大断面図。
【符号の説明】
【００２１】
１    筆記具本体
２    リフィール
４    グリップ部
５    中本体
６    上本体
７    消ゴムユニット
10    スライドコマ
13    作動カム
16    外筒
24    内筒
25    受台
26    平面部
27    窓部
28    ラック窓部
38    つまみ部
40    側枠片
43    筒状部
44    雄ねじ
45    消ゴム
【図１】
2005028800.tif 000003
【図２】
2005028800.tif 000004
【図３】
2005028800.tif 000005
【図４】
2005028800.tif 000006
【図５】
2005028800.tif 000007
【図６】
2005028800.tif 000008
【図７】
2005028800.tif 000009
【図８】
2005028800.tif 000010
【図９】
2005028800.tif 000011
【図１０】
2005028800.tif 000012
【図１１】
2005028800.tif 000013
【図１２】
2005028800.tif 000014
【図１３】
2005028800.tif 000015
【図１４】
2005028800.tif 000016
【図１５】
2005028800.tif 000017
【図１６】
2005028800.tif 000018
【図１７】
2005028800.tif 000019
【図１８】
2005028800.tif 000020
【図１９】
2005028800.tif 000021
【図２０】
2005028800.tif 000022